(57)【要約】      （修正有）【課題】ベルトが腰周り用当て部材に挿脱可能で、腰周り用当て部材からベルトを装着時に落下させないで、しかも強く引き出して強く締め付けることができる腰周り締付けベルトを提供する。【解決手段】腰周り用当て部材１１と複数のベルト２、３を備え、腰周り用当て部材１１は、腰部や腹部を覆うものであり、ベルト２、３はその前後端部で狭幅で中央に向けて漸次広幅であり、中央部で湾曲した湾曲部２ｒ、３ｒが形成されて、腰周り用当て部材１１の開口部Ｏｌｕ，Ｏｌｄ，Ｏｒｕ，Ｏｒｄに係止される。【選択図】図１
0003204454.tif 000002
【実用新案登録請求の範囲】
【請求項１】
腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、これら上方側の開口部と下方側の開口部は斜めに形成されて、前記締付け用ベルトは、前記腰周り用当て部材の中で交差させて、交差させた状態で上方側の開口部と下方側の開口部から引き出すことを特徴とする腰周り締付けベルト。
【請求項２】
腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、下方側の開口部は締付け用ベルトの幅よりも狭く、上方側の開口部は締付け用ベルトの幅よりも広いか、又は、下方側の開口部は締付け用ベルトの幅よりも広く、上方側の開口部は締付け用ベルトの幅よりも狭いことを特徴とする腰周り締付けベルト。
【請求項３】
腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、前記締付け用ベルトは、下方側の開口部より広い広幅部と、上方側の開口部よりも狭い狭幅部を有するか、又は、下方側の開口部より狭い狭幅部と、上方側の開口部よりも広い広幅部を有することを特徴とする腰周り締付けベルト。
【請求項４】
前記締付け用ベルトは、前記腰周り用当て部材の中で交差させて、交差させた状態の上方側の開口部から引き出した先端部と下方側の開口部から引き出した後端部とを係止させることを特徴とする請求項１ないし３のいずれか１項記載の腰周り締付けベルト。
【請求項５】
前記締付け用ベルトは、前後の端部では狭幅であり中央に向けて漸次広幅であり、中央付近で湾曲した形状をしており、湾曲部近傍においてベルト幅が前記腰周り用当て部材の開口部幅よりも広いことを特徴とする請求項１ないし３のいずれか１項記載の腰周り締付けベルト。
【請求項６】
前記締付け用ベルトの先端部及び／又は後端部に係止手段が取り付けられ、前記上方側の開口部から引き出した先端部と下方側の開口部から引き出した後端部とを係止させるときには、係止手段を介して係止されるが、複数の締付け用ベルトの先端部と先端部同士、又は、後端部と後端部同士では係止しないことを特徴とする請求項１ないし３のいずれか１項記載の腰周り締付けベルト。
【請求項７】
前記腰周り用当て部材は、骨盤の形状に対応したほぼ六角形状であり、ほぼ六角形状の左右の斜めの辺に前記締付け用ベルトを挿通させる上方側の開口部と下方側の開口部が斜めに形成され、かつ、上方側の開口部よりも下方側の開口部が大きく形成されて、前記締付け用ベルトの広幅部が前記下方側の開口部幅より広く形成されていることを特徴とする１ないし３のいずれか１項記載の腰周り締付けベルト。
【請求項８】
前記腰周り用当て部材は、その中央部に三角形状の角部が形成されており、前記締付け用ベルトは、前記腰周り用当て部材の中で交差させるもので、前記三角形状の角部に沿って斜めに配されることを特徴とする請求項１ないし３のいずれか１項記載の腰周り締付けベルト。
【請求項９】
前記腰周り用当て部材に、可撓性あるいは可塑性のある素材により形成される補助の固定板が着脱自在に装着されるか、又は、前記腰周り用当て部材に、加温部材あるいは冷却部材が着脱自在に装着されることを特徴とする請求項１ないし８に記載の腰周り締付けベルト。
【考案の詳細な説明】
【技術分野】
【０００１】
本考案は、人体の腰周りに巻き付けて装着し、腰周りを固定支持し、腰痛予防や腰痛軽減を目的とする腰周り締付けベルトに関する。
【背景技術】
【０００２】
従来、腰周り保護には腰部を固定するサポータあるいはコルセット等が用いられてきた。しかし、従来のサポータあるいはコルセット等は、腰部の広い範囲を固定するために幅が広く設計されており、内臓が圧迫される、あるいは、体動によりずれやすい、着脱が簡易ではない等の欠点を有していた。
【０００３】
そこで、昨今、上記欠点を解消するために、複数の幅の狭いベルトから構成されるサポータあるいはコルセットが提案されている。
特許文献１においては、主コルセットベルトと押さえ部材により支持された２本の副コルセットベルトにより構成されたコルセットベルトが提示されている。
また、特許文献２においては、板部材からなる腰部あてがい部と該あてがい部から二股状に分岐して左右それぞれについて２本ずつ合計４本の分割ベルト片からなる腰部装着ベルト装置が提示されている。
特許文献３においては、中央部で固定され左右に伸びる帯状のベルトからなり、左右の各ベルト側部が、上側と下側に分離された伸縮性の布帯体である骨盤締め矯正ベルトも提案されている。
【先行技術文献】
【特許文献】
【０００４】
【特許文献１】特開平１１−２５３４７４公報
【特許文献２】特開２００２−９５６８６公報
【特許文献３】特開２００２−２０９９２１公報
【考案の概要】
【考案が解決しようとする課題】
【０００５】
しかしながら、特許文献１のコルセットベルトでは、腰部に当接する主ベルト部（図２および図３の１）も副ベルト部（図２および図３の２）も幅が均一な帯状のベルトとなっているため、腰部および脚部の形状にそった装着をしようとすると、ベルトが直線的であるので、身体の曲面および凹凸にあわせるのが困難であり、広い範囲で押圧するには限度がある（斜めのベルト引き出しに対応されていない。）。また、副ベルトの一方の端部が主ベルトに固定されているため（図２および図３）、副ベルトの装着位置も主ベルトの位置に左右され、装着者の体型に合わせた位置でベルトを装着しようとすると難しいという課題がある。
また、特許文献２の腰部装着ベルトも、腰部あてがい部（図１の符号１２）が矩形であり、４本のベルト片（図１の１３、１４）も幅が均一なベルトから構成されているため、腰部および脚部の形状にそった装着がし難く、広い範囲で押圧するには限度がある。さらに、４本のベルト片は腰部あてがい部と一体的に形成されている（段落０００９）ため、各々のベルトの可動範囲が狭くベルト装着位置、締め付け強度の調整範囲も狭いという課題がある。
また、特許文献３の骨盤締め矯正ベルトも、ベルトが上側と下側に分離された伸縮性の布帯体より構成されており（図１）、腰部および脚部の形状にあわせて装着がしやすい構造とはなっているが、腹部での接合箇所が一箇所であり（図２の４１，４２）上下ベルト別個の締め付け調整はできない。さらに、中央部（図１および図３の１０）は縦に細長い矩形であり、腰部の形状にそった形状とはなっておらず、装着時の中央部の位置が定まりにくく、腰椎の固定の精度には課題があり、広い範囲で押圧するには限度がある。
さらに、ベルトについては、洗濯の必要性や、販売したり保管したりするときに、本体部（特許文献１では符号５（図１と図３を参照）、特許文献２では、符号２（２１）の板部材、特許文献３では符号１０、５０）分とは別の取扱いができるように挿通可能で取り外し可能であることが望まれるが、ベルトが挿通可能で取り外し可能であると、装着の際にベルトが本体部から落下するという課題や、中央位置が定まり難く、位置ズレも生じる課題を有する（特許文献１の図１と図３を参照）。
そこで本考案の目的は、ベルトが腰周り用当て部材に挿脱可能が行ない易くし、特に斜めにベルトを引き出しやすくし、さらに、腰周り用当て部材からベルトを装着時に落下させないで、しかも強く引き出して強く締め付けることができる腰周り締付けベルトを提供する。
【課題を解決するための手段】
【０００６】
本考案の腰周り締付けベルトは、腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、これら上方側の開口部と下方側の開口部は斜めに形成されて、前記締付け用ベルトは、前記腰周り用当て部材の中で交差させて、交差させた状態で上方側の開口部と下方側の開口部から引き出すことを特徴とする。
本発明によれば、前記腰周り用当て部材の中で交差させて、交差させた状態で上方側の開口部と下方側の開口部からその斜め方向にそったまま引き出すことから、斜め方向に引き出しやすく、このため広範囲の位置からの締め付けができ、その挿脱（ベルトの取り付け取り外し）も容易になる。
【０００７】
本考案の腰周り締付けベルトは、腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、下方側の開口部は締付け用ベルトの幅よりも狭く、上方側の開口部は締付け用ベルトの幅よりも広いか、又は、下方側の開口部は締付け用ベルトの幅よりも広く、上方側の開口部は締付け用ベルトの幅よりも狭いことを特徴とする。
また、本考案の腰周り締付けベルトは、腰部や腹部などの腰周りを所定幅で当てる腰周り用当て部材と、腰周りを捲き回して締め付ける複数の締付け用ベルトを備え、腰周り用当て部材に複数の締付け用ベルトを各々挿脱させる開口部が形成され、この開口部は腹部側や腰部側に向かって引き出す上方側の開口部と、脚部側に向かって引き出す下方側の開口部として形成され、前記締付け用ベルトは、下方側の開口部より広い広幅部と、上方側の開口部よりも狭い狭幅部を有するか、又は、下方側の開口部より狭い狭幅部と、上方側の開口部よりも広い広幅部を有することを特徴とする。
本考案によれば、上方側と下方側の開口部に対して締付け用ベルトの広幅部分を有するために開口部に引っ掛かり、これとは反対側の先端部を上方側の開口部から引き出すと、その引っ掛かりにより十分な締め付け力が得られて、締付け用ベルトを脱落させることなく締め付け固定する。
本考案としては、前記締付け用ベルトは、前記腰周り用当て部材の中で交差させて、交差させた状態の上方側の開口部から引き出した先端部と下方側の開口部から引き出した後端部とを係止させることを特徴とする。
このように締付け用ベルトを交差させた状態で互いの先端と後端を係止させることで、腰周りに装着する際に締付け用ベルトが腰周り用当て部材から落下することなく、締め付け固定することができる。すなわち、締付け用ベルトの下方側は腰周り用当て部材の開口部で引っ掛かるが、複数の締付け用ベルトの下方側同士（或いは上方側同士）を引っ張ると抜け落ちてしまうところ、交差させた状態で互いの先端と後端を係止させることで締付け用ベルトが腰周り用当て部材から落下する事態をなくすことになる。
本考案としては、前記締付け用ベルトは、前後端部では狭幅であり中央に向けて漸次広幅であり、中央付近で湾曲した形状をしており、湾曲部近傍においてベルト幅が前記腰周り用当て部材の開口部幅より広く構成されており、該湾曲部おいて締付け用ベルトが腰周り用当て部材に係止される構造を備えている。
本考案によれば、前記腰周り用当て部材の開口部では締付け用ベルトの湾曲部が引っ掛かり易くなり、広幅部を形成しないで、締付け用ベルトを脱落させることなく締め付け固定することが出来る。
【０００８】
本考案は、前記締付け用ベルトの先端部及び／又は後端部に係止手段が取り付けられ、前記上方側の開口部から引き出した先端部と下方側の開口部から引き出した後端部とを係止させるときには、係止手段を介して係止されるが、複数の締付け用ベルトの先端部と先端部同士、又は、後端部と後端部同士では係止しないことを特徴とする。ここで、係止手段としては、面ファスナーやボタン等が使用できるが、締め付け作業の順序を示す印やマーク（１，２等の符号や色分け等）を施しても良い。
本考案によれば、面ファスナー等の係止手段を介して、ベルトの落下を防止して、装着作業が行ないやすくなる。
【０００９】
本考案は、前記腰周り用当て部材は、その中央部に三角形状の角部が形成されており、前記締付け用ベルトは、前記腰周り用当て部材の中で交差させるもので、前記三角形状の角部に沿って斜めに配されることを特徴とする。
本考案によれば、腰周り用当て部材の三角形状の角部を介して腰椎に沿って折り曲げられ、この折り曲げ状態で締付け用ベルトの先端側が引っ張られて係止されるので、腰部の形状に沿った締め付け固定力を得ることが出来る。締付け用ベルトは、前記腰周り用当て部材の中で交差させるものであり、この交差により、前記腰周り用当て部材が腰部を押圧する。
【００１０】
本考案としては、前記腰周り用当て部材は、骨盤に対応したほぼ正六角形状であり、ほぼ六角形状の左右の斜めの辺に前記締付け用ベルトを挿通させる上方側の開口部と下方側の開口部が斜めに形成され、かつ、上方側の開口部よりも下方側の開口部が大きく形成されて、前記締付け用ベルトの広幅部が前記下方側の開口部よりも広く形成されていることを特徴とする。
本考案によれば、ほぼ六角形状の腰周り用当て部材により骨盤（いわゆる腰骨）の形状に沿って押し当てることができる。また、骨盤に倣った斜めの開口部から締付け用ベルトを斜めに引き出しやすくなり、骨盤に倣った引き締めが可能になる。さらに、上方側の開口部よりも下方側の開口部が大きく形成されて、前記締付け用ベルトの広幅部が前記下方側の開口部幅より広く形成されているので、脚部側から腹部側や腰部側に押し上げるようにして、つまり臀部を湾曲部（広幅部）で覆うようにした状態にして引き締めることができる。
【００１１】
本考案は、前記腰周り用当て部材に、可撓性あるいは可塑性のある素材により形成される補助の固定板が着脱自在に装着されるか、又は、前記腰周り用当て部材に、加温部材あるいは冷却部材が着脱自在に装着されることを特徴とする。
腰周り用当て部材に収納部を設けて、収納部には、板材、プラスチック、皮革、ガラス繊維、金属板、形状記憶合金等からなる固定板を入れることが可能である。剛直な固定板を用いれば、腰用締付けベルトの張力を固定板を介して、腰椎の押圧力に変換して、腰椎を固定でき、これにより腰部固定効果の向上が図られる。
また、収納部には、カイロ等の加温部材や冷却シート等の冷却部材をいれることが可能であり、これにより、腰部の加温あるいは冷却ができ、腰痛軽減効果のさらなる向上がはかれる。
【００１２】
本考案による腰周り締付けベルトは、上記の構造であるため、締付けベルトの挿脱、交換が容易である。よって、装着者の体型にあわせた、締付けベルトの長さ、締付け力を選択可能となり、幅広い需要に適応する。また、経年使用等で劣化した場合に、容易に新品のベルトに交換可能であり、ベルト全体を交換する必要がなく経済的である。
本考案による腰周り締付けベルトは、締付け用ベルトが湾曲部において腰周り用当て部材に係止されているため、装着時に、締付けベルト引張り強さにより締付け力を調整することが可能であり、装着者が所望する強度で、骨盤を締めつけ、腰椎と骨盤との固定ができる。
【考案の効果】
【００１３】
本考案によれば、下方側の開口部では締付け用ベルトの幅よりも広い部分を有するために、これとは反対側の先端部を上方側の開口部から引き出して、互いの先端と先端や、先端と後方端を係止させることで、締付け用ベルトを強く引き出して締付け固定することが出来る。そして、締付け用ベルトを交差させた状態で互いの先端と後端を係止させることで、腰周りに装着する際に締付け用ベルトが腰周り用当て部材から落下することなく、締付け固定することができる。
【図面の簡単な説明】
【００１４】
【図１】本考案の第１の実施形態の腰周り締付けベルトを展開して示す図であり、（ａ）は平面図であり、（ｂ）は内部構造を透視した平面図であり、（ｃ）（ｄ）（ｅ）は腰周り用当て部材の例を示す平面図である。
【図２】本考案の第１の実施形態の腰周り締付けベルトの組み立てを示す平面図であり、（ａ）は１本目の締付けベルトを腰周り用当て部材に挿入する工程、（ｂ）は２本目の締付けベルトを腰周り用当て部材に挿入する工程、（ｃ）は組み立て完了後の図である。
【図３】本考案の第１の実施形態の腰周り締付けベルトを人体に装着した状態を示した概略図であり、（ａ）は背面図、（ｂ）は正面図、（ｃ）はベルト締付け位置と骨盤の位置の関係を示した模式図である。
【図４】本考案の第２の実施形態の腰周り締付けベルトを人体に装着する手順を示した概略図であり、（ａ）、（ｂ）は締付け手順を示した背面図、（ｃ）は締付け後を示した正面図である。
【図５】本考案の第３の実施形態の腰周り締付けベルトの斜視図である。
【図６】本考案の第４の実施形態の腰周り締付けベルトを展開して示す図であり、（ａ）は平面図であり、（ｂ）は内部構造を透視した平面図である。
【図７】本考案の第４の実施形態の腰周り締付けベルトを人体に装着した状態を示した概略図であり、（ａ）は背面図、（ｂ）は正面図である。
【図８】本考案の第５の実施形態の腰周り締付けベルトを人体に装着した状態を示した概略図であり、（ａ）および（ｂ）は正面図である。
【考案を実施するための形態】
【００１５】
以下、本考案を実施するための形態について図面を引用しながら説明する。
【００１６】
（第１の実施形態）
図１は、本考案の第１の実施形態の腰周り締付けベルト１を展開して示す図であり、（ａ）は表面から見た平面図、（ｂ）は腰周り用当て部材１１の内部とベルト２、３の端部を透視した平面図である。図１（ｃ）（ｄ）（ｅ）は腰周り用当て部材の例を示す平面図である。
【００１７】
本実施形態の腰周り締付けベルト１は、腰周り用当て部材１１と２本の締付け用ベルト２、３とを備える。また、前記ベルト２，３の前後端部に係止手段（面ファスナー）４を備えている。
前記腰周り用当て部材１１は、腰部および骨盤を覆う形状に形成されており、前記締付け用ベルト２，３は前後端部が狭幅で中央に向けて漸次広幅であり、中央部で湾曲した形状をしている。
腰周り用当て部材１１および締付け用ベルト２，３は、伸縮自在で、かつ、その表面が面ファスナーを固定可能な材料によって形成される。
【００１８】
腰周り用当て部材１１の例としては、その他、図１（ｃ）（ｄ）（ｅ）に示すように、腰周り用当て部材１１の下方側の開口部は、締付け用ベルト２，３の幅よりも狭く、上方側の開口部Ｏ１ｕは締付け用ベルト２，３の広幅部２ｒ、３ｒよりも広いか、又は、下方側の開口部Ｏｌｄ，Ｏｒｄは締付け用ベルト２，３の広幅幅よりも広くても良い。また、締付け用ベルト２，３の湾曲部２ｒ，３ｒは、腰周り用当て部材１１の下方側の開口部Ｏｒｄの幅よりも広い湾曲部（広幅部）２ｒ，３ｒとしても良く、上方側の開口部Ｏ１ｕよりも広い湾曲部（広幅部）２ｒ，３ｒとしても良い。
また、図１（ｅ）に示すように、腰周り用当て部材１１を二枚重ねるようにして（面ファスナー等で着脱可能として）、二枚の腰周り用当て部材１１，１１の間に、後述する補助の固定板６や加温部材あるいは冷却部材６が着脱自在に装着されるものとしても良い。
【００１９】
図２は、本実施形態の腰周り締付けベルト１の組み立て工程を示す図である。（ａ）は１本目の締付け用ベルト２を腰周り用当て部材１１に挿入する工程、（ｂ）は２本目の締付け用ベルト３を腰周り用当て部材１１に挿入する工程、（ｃ）は組み立て完成後の図である。
【００２０】
腰周り用当て部材１１は表裏２枚の部材で形成されており、２枚の部材は上辺および下辺は縫合あるいは接着により重合されており、側辺は中央付近のみ重合（縫合）されており、その他の部は開口されており、ベルト２，３を挿通させることが可能な構造を備えている。
図２（ａ）に示すように、腰周り用当て部材１１の右側辺下部の開口部Ｏｒｄから締付け用ベルト２を刺し込み、腰周り用当て部材１１の内部を挿通して左側辺上部の開口部Ｏｌｕから先端部を引出す。締付け用ベルト２は、湾曲部（広幅部）２ｒにおいて、湾曲するとともに腰周り用当て部材１１の右側辺下部の開口部Ｏｒｄの開口幅よりも幅広になっているため、湾曲部２ｒが開口部Ｏｒｄに達する手前で係止される。
次に、図２（ｂ）に示すように、腰周り用当て部材１１の左側辺下部の開口部Ｏｌｄから締付け用ベルト３を挿し込み、腰周り用当て部材１１の内部ですでに挿通している締付け用ベルト２の上層または下層に重ね合わせて（交差させて）右側辺上部の開口部Ｏｒｕから先端部を引出す。締付け用ベルト３も締付け用ベルト２と同様、湾曲部（広幅部）３ｒが左側辺下部の開口部Ｏｌｄに達する手前で係止され（引っ掛かり）、本実施形態の腰周り締付けベルト１が完成する。
【００２１】
本実施形態の腰周り締付けベルト１の構造は、前記のような構造であるため、締付けベルトの挿脱、交換が容易である。よって、装着者の体型に合わせた締付けベルトの長さを選択することが可能である。また、締付け力の異なるベルトを数種準備し、装着者が必要とする締付け力のベルトを選択することにより、幅広い需要に適応することも可能である。
また、締付けベルトの締付け力が経年使用等で劣化し低下した場合にも、容易に新品のベルトに交換して、各々洗濯して使用でき、締付け力を初期状態に回復可能なためベルト全体を交換する必要がなく経済的である。
【００２２】
本実施形態の腰周り締付けベルト１は、図３（ａ）に示すように、腰周り用当て部材１１を、概ね骨盤に近い腰椎Ｓ１に対応する位置に当てがった後、締付けベルト２，３の上部側２ｕ、３ｕを骨盤周囲に巻きつけて、図３（ｂ）に示すように、締付けベルトの上部側２ｕ、３ｕの端部を腹部に回して、引張りながら締付け、端部に設けた面ファスナー４を係合して接続する。このとき、締付け用ベルト２は湾曲部（広幅部）２ｒにより係止されており、また、締付け用ベルト３は湾曲部３ｒにより係止されているので（図３（ａ））、締付けベルトの上部側２ｕ、３ｕの引張り強さにより締付け力を調整することが可能である。次に、締付けベルトの下部側２ｄ、３ｄも同様に接続する。締付け用ベルト２、３が骨盤Ｓ１を締めつけ、腰椎Ｓ１と骨盤Ｓとの固定ができ、骨盤Ｓの安定化と、姿勢の矯正に寄与する。
【００２３】
この装着の際、図３（ｃ）に示すように、腰周り用当て部材１１は、三角形状の角部１Ｇを腰椎中心と合致させて折り曲げ、上方側の開口部（Ｏｌｕ，Ｏｒｕ）は腸骨Ｓ２上辺部に、下方側の開口部（Ｏｌｄ，Ｏｒｄ）は大腿骨Ｓ３付け根に沿わせ、上部のベルト２ｕ，３ｕは、腸骨Ｓ２の上縁部に掛かるようにし、下部のベルト２ｄ，３ｄは、より低い位置、概ね大腿骨Ｓ３上部あたりを締めつけるようにする。このように、腰周り用当て部材１１は骨盤Ｓに合わせた形状をしており、また、締付け用ベルトは２本に分離されているので、上下に広げて締めることにより、腰部全体を固定することができ、なおかつ、動きやすく、ずれにくい。
【００２４】
（第２の実施形態）
図４は、本考案の第２の実施形態の腰周り締付けベルト１を人体に装着する手順を示した概略図であり、（ａ）、（ｂ）は締付け手順を示した背面図、（ｃ）は締付け後を示した正面図である。
第２の実施形態の腰周り締付けベルト１を装着するには、図４（ａ）に示すように、腰周り用当て部材１１を、腰椎Ｓ１に対応する位置に当てて、締付けベルトの上部側２ｕを巻きつけ、締付けベルトの下部側２ｄを巻きつけ、ベルト２ｕ、２ｄの前後端部を腹部に回して、引張りながら締付け、端部に設けた係止手段（面ファスナー）４を係合して接続する。次に、図４（ｂ）に示すように、締付けベルトの上部側３ｕを巻きつけ、さらに、締付けベルトの下部側３ｄを巻きつけ、ベルト３ｕ、３ｄの端部を腹部に回して、引張りながら締付け、前後端部に設けた係止手段（面ファスナー）４を係合して接続する。この時、図４（ｃ）に示すように、最初に接続したベルト２ｕ、２ｄの係止手段に、次に接続したベルト３ｕ、３ｄの係止手段が重ね合わされる。本実施の形態では、複数の締付け用ベルト２，３の先端部と先端部同士、又は、後端部と後端部同士では係止しない構成になっており、先端側の面ファスナー４ｕと後端側４とが係止し、また、先端側の面ファスナー４ｏと後端側４とが係止する。なお、これら係止手段４を介して係止した状態で、これらを更に係止手段を介して係止させても良い。
本実施形態によれば、各締付けベルト（２，３）の上端と下端（２ｕと２ｄ、３ｕと３ｄ）を各々係止する形となるが、面ファスナー等の係止手段４を介して、ベルトの落下を防止して、特に意識して装着作業を行なわなくとも、ベルトが落下することを防止できる。また、各締付けベルト（２，３）の下端同士（２ｄと３ｄ）を引っ張った場合、腰周り用当て部材１１の上方側の開口部は締付けベルト２，３の幅より広いため、締付けベルトが腰周り用当て部材１１から抜け落ちることとなるが、本実施形態によればかかる事態は回避される。
【００２５】
（第３の実施形態）
図５は、本考案の第３の実施形態の腰周り締付けベルト１の斜視図である。腰周り用当て部材１１に収納部５を備えた構造となっている。図５において腰周り用当て部材１１の表側（身体に接触しない側の面）に収納部５が形成されているが、これに限定されるものではなく、裏面（身体に接触する側の面）に形成することも、表面および裏面とも両面に形成することも、複数の収納部５を形成することも可能である。
収納部５には、木材、プラスチック、皮革、ガラス繊維、金属板、形状記憶合金等の固定板を入れることが可能である。剛直な固定板（木材、金属等）を用いれば、腰用締付けベルト２，３の張力を固定板６および腰周り用当て部材１１を介して、腰椎の押圧力に変換して、腰椎Ｓ１を強固に固定でき、これにより腰部固定効果の向上が図られる。また、柔軟な固定板（皮革、可撓性プラスチック等）を用いれば、固定板６が腰部の形状に沿って変形し、より密着度の高く、柔軟な腰椎Ｓ１の固定が可能となる。
金属板等剛直な材質の固定板を使用する場合は、表側（身体に接触しない側の面）の収納部５に挿入し、皮革等柔軟な材質の固定板を使用する場合は、裏側（身体に接触する側の面）の収納部５に挿入する等、収納部５の使い分けが可能である。
また、収納部５には、カイロ等の加温部材や冷却シート等の冷却部材をいれることができるため、腰部固定とともに、腰部の加温あるいは冷却が可能となり、腰痛軽減効果のさらなる向上がはかれる。
【００２６】
（第４の実施形態）
図６は、本考案の第４の実施形態の腰周り締付けベルト１を展開して示す図であり、（ａ）は表面から見た平面図、（ｂ）は位置決めベルト７が挿し込まれた状態を示す図であり、腰周り用当て部材１１の内部と締付け用ベルト２、３の端部を透視した平面図である。
【００２７】
本実施形態の腰周り締付けベルト１は、腰周り用当て部材１１と２本の締付け用ベルト２、３と被服用ベルト７を通す為の開口部（ＯｌｃおよびＯｒｃ）を備え、これらの間が縫合されている。本実施形態と第１の実施形態との相違は、腰部を締付けのための２本のベルト２，３に加えて、装着時に装着位置を決めるための位置決めベルト７を備え、この位置決めベルト７は、直線状でベルト２，３よりも細いベルトで構成されている。腰周り用当て部材１１の側辺の左右には、各々３個の開口部が設けられ、各開口部間は縫合、接着等で重合されている。中央の開口部（図６、ＯｌｃおよびＯｒｃ）の開口幅は、位置決めベルト７が挿通できる幅で設けられる。上記位置決めベルト７としては、ズボンやスカートなどのベルトや着物などの帯や紐を適用することが出来る。
【００２８】
本実施形態の腰周り締付けベルト１の組み立て工程は、第１の実施形態と同様ベルト２、３を腰周り用当て部材１１に挿通させたのち、位置決めベルト７を腰周り用当て部材１１の中央の開口部（図６、ＯｌｃおよびＯｒｃ）を挿通して完成させる。この際、位置決めベルト７はすでに腰周り用当て部材１１に挿通しているベルト２，３の下の最下層に挿通させる。これは、図６（ａ）、（ｂ）正面図で、腰周り用当て部材１１の挿通部において、最背面に位置決めベルト７を挿通させる。これは位置決めベルト７が装着位置決めのためのベルトとして、本実施形態の腰周り締付けベルト１を装着する際に最初に係合接続するベルトとなる。すなわち、位置決めベルト７を最下層にして位置決めしてから、位置決めベルト７を係合接続しても他のベルト２，３の自由度を損なわない構成としている。
【００２９】
本実施形態の腰周り締付けベルト１を装着するには、図７（ａ）に示すように、最初に位置決めベルト７を、腰周り用当て部材１１が、概ね骨盤Ｓに近い腰椎Ｓ１に位置するように調整してから、図７（ｂ）に示すように、位置決めベルト７の端部を腹部に回して端部に設けた係止手段（面ファスナー）４を係合して接続する。次に、締付けベルトの上部側２ｕと下部側２ｄ、締付けベルトの上部側３ｄと上部側２ｕを接続して固定したり、又は、締付けベルトの上部側２ｕ、３ｕと、締付けベルトの下部側２ｄ、３ｄを接続して固定したりする。
本実施形態によれば、位置決めベルト７により予め腰周り用当て部材１１の位置が固定されているため、装着者の意図する箇所で締付けベルトの上部側２ｕ、３ｕと締付けベルトの下部側２ｄ、３ｄの締付けが行え、より効果的に腰部固定を実施可能である。
【００３０】
（第５の実施形態）
図８は、本考案の第５の実施形態の腰周り締付けベルト１を人体に装着した状態を示した概略図であり、（ａ）および（ｂ）は正面図である。
本実施形態の腰周り締付けベルト１は、腰周り用当て部材１１と２本の締付け用ベルト２、３とを備えている。本実施形態と第１の実施形態との相違は、腰周り用当て部材１１の形状が三角形状の角部のないほぼ正六角形に形成されている点である。
図８（ａ）に示す例では、三角形状の角部１Ｇのない形状であるので、腹部に装着しやすい当て部材となっており、腹帯としての使用に好適である。特に、本考案の腰周り締付けベルト１の効果である、締付け位置および締付け強さが広い範囲で調整が可能であることから、妊婦の腹帯としての適用が有用である。
図８（ｂ）に示すように、収納部５を備えることもできる。カイロ等の加温部材を入れることで、腹部の冷え防止ベルトとしての適用が有用である。
【００３１】
（本考案の適用部位）
上記実施形態においては、本考案の適用身体部位を腰部および腹部として説明しているが、特にこれに限定されるものではなく、脇腹等、腰周りの任意の部位に適用可能である。
【符号の説明】
【００３２】
１                                腰周り締付けベルト、
１Ｇ                              腰周り用当て部材の三角形状の角部、
２、３                            締付け用ベルト、
２ｕ，３ｕ                        締付け用ベルトの上部側、
２ｄ、３ｄ                        締付け用ベルトの下部側、
２ｒ、３ｒ                        締付け用ベルトの湾曲部（広幅部）、
４，４ｕ，４ｏ                    係止手段（面ファスナー等）、
５                                腰周り用当て部材の収納部（固定板の収納部）、
６                                固定板（加温部材、冷却部材）、
７                                中央の位置決め用ベルト（被服用ベルト）、
１１                              腰周り用当て部材、
Ｏｌｕ，Ｏｌｃ，Ｏｌｄ            腰周り用当て部材の開口部（左側）、
Ｏｒｕ，Ｏｒｃ，Ｏｒｄ            腰周り用当て部材の開口部（右側）、
Ｓ                                骨盤、
Ｓ１                              腰椎、
Ｓ２                              腸骨、
Ｓ３                              大腿骨
【図１】
0003204454.tif 000003
【図２】
0003204454.tif 000004
【図３】
0003204454.tif 000005
【図４】
0003204454.tif 000006
【図５】
0003204454.tif 000007
【図６】
0003204454.tif 000008
【図７】
0003204454.tif 000009
【図８】
0003204454.tif 000010